(57)【要約】【課題】鑑賞者から絵画の細部が見え易く、画家の表現する絵画の魅力や迫力を鑑賞者に対して十分に伝えることができ、絵画の効果的な展示を行うことが可能な額縁及び展示物を提供する。【解決手段】絵画キャンバス５２を固定するための額縁１である。絵画キャンバス５２の外縁を取り囲む額縁本体２と、額縁本体２の背面側に嵌め込まれ、絵画キャンバス５２を固定するための支持体となる裏板４と、を備え、額縁本体２は、裏板４を嵌め込むことが可能なサイズの枠状に形成され、表面側には枠６の各辺から枠６の中央側に向かって突出し、裏板４を係止する爪部８を有し、枠６および／または爪部８で取り囲まれた領域が絵画キャンバス５２より大となるように形成されており、裏板４の爪部８背面を基準面Ｓとして、基準面Ｓから額縁本体２の表面に至るまでの突出高さｈが、絵画キャンバス５２の厚さｔより小となるように構成されている。【選択図】図５
0003226146.tif 000002
【実用新案登録請求の範囲】
【請求項１】
絵画キャンバスを固定するための額縁であって、
前記絵画キャンバスの外縁を取り囲む額縁本体と、前記額縁本体の背面側に嵌め込まれ、前記絵画キャンバスを固定するための支持体となる裏板と、を備え、
前記額縁本体は、前記裏板を嵌め込むことが可能なサイズの枠状に形成され、表面側には枠の各辺から枠の中央側に向かって突出し、前記裏板を係止する爪部を有し、前記枠および／または前記爪部で取り囲まれた領域が前記絵画キャンバスより大となるように形成されており、
前記額縁本体の爪部背面を基準面として、前記基準面から前記額縁本体の表面に至るまでの突出高さが、前記絵画キャンバスの厚さより小となるように構成されていることを特徴とする額縁。
【請求項２】
前記額縁本体の前記爪部が、前記枠の各辺から前記枠の中央側に向かって突出し、前記枠の各辺に沿う枠状に形成されている請求項１に記載の額縁。
【請求項３】
絵画キャンバスを額縁に固定した展示物であって、
前記額縁が請求項１または２に記載の額縁であり、
前記絵画キャンバスが前記額縁の前記裏板に固定され、
前記裏板が前記額縁本体の前記爪部に係止されるとともに、前記額縁本体に固定され、
前記絵画キャンバスが前記枠および／または前記爪部で取り囲まれた領域内に配置され、前記絵画キャンバスの表面が前記枠および前記爪部によって遮られておらず、前記額縁本体の表面よりも前記絵画キャンバスの表面が突出していることを特徴とする展示物。
【考案の詳細な説明】
【技術分野】
【０００１】
本考案は、絵画キャンバスを固定するための額縁及び展示物に関する。
【背景技術】
【０００２】
油絵等の絵画をキャンバスに描いた絵画キャンバスを固定する額縁が知られている。
【０００３】
従来、額縁としては、枠状の額縁本体と裏板とを備えたものが知られている。このような額縁においては、額縁本体の裏側から絵画キャンバスを嵌め込み、額縁本体の各辺から枠の中央側に向かって突出する枠状の爪部に絵画キャンバスの表面を押し当て、更に絵画キャンバスの裏側から額縁本体に裏板を嵌め込み、額縁本体の爪部と裏板との間に絵画キャンバスを挟み込む形で絵画キャンバスを固定していた。
【０００４】
例えば、支持枠（７）と裏蓋（８）の間に、絵画、書、写真等（４）を挟み込む形で絵画、書、写真等（４）を固定する密閉式額縁が提案されている（特許文献１参照）。
【先行技術文献】
【特許文献】
【０００５】
【特許文献１】特開２００３−２３０４６９号公報（特に図１を参照）
【考案の概要】
【考案が解決しようとする課題】
【０００６】
しかし、特許文献１のような額縁本体の爪部と裏板で絵画キャンバスを挟み込む方式の額縁は、絵画キャンバスが額縁本体の奥側に埋没したり、或いは額縁の影が絵画キャンバスの表面に掛かったりすることに起因して、鑑賞者から絵画の細部が見え難くなるという問題があった。鑑賞者から絵画の細部が見え難くなると、画家の表現する絵画の魅力や迫力を鑑賞者に対して十分に伝えられず、効果的な展示を行うことは難しい。
【０００７】
このように、従来の額縁は、絵画キャンバスを固定するという必要最低限の目的は果たしているものの、鑑賞者から絵画の細部が見え難く、画家の表現する絵画の魅力や迫力を鑑賞者に対して十分に伝えられないために、絵画の効果的な展示を行うことが難しいという点で未だ解決すべき課題を残すものであった。
【０００８】
本考案は、前記の課題を解決するためになされたものである。即ち、本考案の目的は、鑑賞者から絵画の細部が見え易く、画家の表現する絵画の魅力や迫力を鑑賞者に対して十分に伝えることができ、絵画の効果的な展示を行うことが可能な額縁及び展示物を提供することにある。
【課題を解決するための手段】
【０００９】
本考案によれば、絵画キャンバスを固定するための額縁であって、前記絵画キャンバスの外縁を取り囲む額縁本体と、前記額縁本体の背面側に嵌め込まれ、前記絵画キャンバスを固定するための支持体となる裏板と、を備え、前記額縁本体は、前記裏板を嵌め込むことが可能なサイズの枠状に形成され、表面側には枠の各辺から枠の中央側に向かって突出し、前記裏板を係止する爪部を有し、前記枠および／または前記爪部で取り囲まれた領域が前記絵画キャンバスより大となるように形成されており、前記額縁本体の爪部背面を基準面として、前記基準面から前記額縁本体の表面に至るまでの突出高さが、前記絵画キャンバスの厚さより小となるように構成されていることを特徴とする額縁が提供される。
【００１０】
本考案の額縁において、前記額縁本体の前記爪部が、前記枠の各辺から前記枠の中央側に向かって突出し、前記枠の各辺に沿う枠状に形成されていることが好ましい。
【００１１】
また、本考案によれば、絵画キャンバスを額縁に固定した展示物であって、前記額縁が本考案の額縁であり、前記絵画キャンバスが前記額縁の前記裏板に固定され、前記裏板が前記額縁本体の前記爪部に係止されるとともに、前記額縁本体に固定され、前記絵画キャンバスが前記枠および／または前記爪部で取り囲まれた領域内に配置され、前記絵画キャンバスの表面が前記枠および前記爪部によって遮られておらず、前記額縁本体の表面よりも前記絵画キャンバスの表面が突出していることを特徴とする展示物が提供される。
【考案の効果】
【００１２】
本考案の額縁および展示物は、鑑賞者から絵画の細部が見え易く、画家の表現する絵画の魅力や迫力を鑑賞者に対して十分に伝えることができ、絵画の効果的な展示を行うことが可能である。
【図面の簡単な説明】
【００１３】
【図１】図１は本考案の額縁の一の実施形態を模式的に示す平面図である。
【図２】図２は図１に示す額縁のＡ−Ａ’端面図である。
【図３】図３は本考案の展示物の一の実施形態を模式的に示す平面図である。
【図４】図４は図３に示す展示物のＢ−Ｂ’端面図である。
【図５】図５は図４の部分拡大図である。
【図６】図６は本考案の展示物の一の実施形態を模式的に示す斜視図である。
【考案を実施するための形態】
【００１４】
以下、本考案を実施するための形態について図面を参照しながら具体的に説明する。但し、本考案は以下に示す形態のみに限定されるものではない。
【００１５】
［１］作用効果：
図１および図２に示す額縁１は、額縁本体２の爪部背面を基準面Ｓとして、基準面Ｓから額縁本体２の表面に至るまでの突出高さｈが、絵画キャンバスの厚さより小となるように構成されている。
【００１６】
このような構造とすることで、図６に例示するように、額縁１に絵画キャンバスを固定した際に絵画キャンバスの表面が額縁本体２の表面よりも前方に突出し、張り出すことになる。このため、従来の額縁のように、絵画キャンバスが額縁本体の奥側に埋没したり、或いは額縁の影が絵画キャンバスの表面に掛かったりすることがなく、鑑賞者から絵画の細部が見え易くなる。即ち、画家の表現する絵画の魅力や迫力を鑑賞者に対して十分に伝えることができ、効果的な展示を行うことが可能となる。
【００１７】
［２］額縁：
図１および図２に示す額縁１は、絵画キャンバスを固定するための額縁である。「絵画キャンバス」とは、絵画が描かれたキャンバスを意味する。「キャンバス」としては、例えば矩形状の木枠に画布を張ったもの等が用いられる。
【００１８】
額縁１は額縁本体２と裏板４とを備える。
【００１９】
［２−１］額縁本体：
額縁本体２は、絵画キャンバスの外縁を取り囲む部材である。額縁本体２は、裏板４を嵌め込むことが可能なサイズの枠状に形成されている。言い換えれば、額縁本体２の背面側開口部のサイズが裏板４のサイズより大となるように形成されている。額縁本体２は矩形枠状に形成されている。
【００２０】
額縁本体２は、その表面側に枠６の各辺から枠の中央側に向かって突出し、裏板４を係止する爪部（フランジ部、つば部、突縁部ともいう）８を有している。爪部８は額縁本体２の背面側開口部１０よりも正面側開口部１２のサイズを狭め、裏板４が額縁本体２の正面側に抜けないように係止する部材である。爪部８は爪部背面に裏板４を当接させるようにして、裏板４を係止している。爪部８は裏板４を係止し得る形状であればよく、その形状は特に限定されない。図示の額縁本体２の爪部８は、枠の各辺から枠６の中央側に向かって突出し、枠６の各辺に沿う枠状（矩形枠状）に形成されている。
【００２１】
また、額縁本体２は枠６および／または爪部８で取り囲まれた領域が絵画キャンバスより大となるように形成されている。「枠６および／または爪部８で取り囲まれた領域」とは、額縁本体２の正面側開口部１２を意味する。即ち、「枠６および／または爪部８で取り囲まれた領域が絵画キャンバスより大となる」とは、絵画キャンバスが額縁本体２の正面側開口部１２を通過し得ることを意味する。このような構成とすると、額縁本体２の爪部８によって絵画キャンバスの表面が遮られることがない。
【００２２】
［２−２］裏板：
裏板４は、額縁本体２の背面側に嵌め込まれ、絵画キャンバスを固定するための支持体となる部材である。裏板４は額縁本体２の枠６で区画された領域（即ち、背面側開口部１０）の形状と相補的な矩形状に形成されている。
【００２３】
裏板４は、その裏面側に脚１４が付設されている。脚１４は裏板４の外縁に沿う矩形枠状に形成されている。脚１４を付設することで、裏板４が補強され、裏板４の構造が安定化する。脚の形状は矩形状に限定されず、平行する２本の脚１４の間を繋ぐように追加の脚を付設してもよい。
【００２４】
［３］展示物：
図３乃至図５に示す展示物５０は、絵画キャンバスを額縁に固定した展示物である。図３乃至図５に示す額縁は、図１および図２に示した額縁１である。そして、絵画キャンバス５２は、矩形状の木枠５４に画布５６を張ったものである。
【００２５】
展示物５０は、絵画キャンバス５２が額縁１の裏板４に固定されている。絵画キャンバス５２は、ビス５８でビス止めすることにより裏板４に固定されている。ビス５８は絵画キャンバス５２の木枠５４の部分に打ち込まれている。
【００２６】
展示物５０においては、裏板４が額縁本体２の爪部８に係止されている。具体的には、裏板４は額縁本体２の爪部８の背面に当接するように係止されている。
【００２７】
そして、展示物５０においては、裏板４が額縁本体２に固定されている。具体的には、粘着テープ６０によって、裏板４と額縁本体２における枠６の底面とがテープ止めされている。
【００２８】
また、展示物５０においては、絵画キャンバス５２が枠６および／または爪部８で取り囲まれた領域内（即ち、正面側開口部１２の内側）に配置されている。この状態において、絵画キャンバス５２の表面は額縁本体２の枠６および爪部８によって遮られていない。
【００２９】
ここで、額縁１は、額縁本体２の爪部背面を基準面Ｓとして、基準面Ｓから額縁本体２の表面に至るまでの突出高さｈが、絵画キャンバス５２の厚さｔより小となるように構成されている。このため、展示物５０においては、額縁本体２の表面よりも絵画キャンバス５２の表面が突出している。
【００３０】
［４］使用方法：
図３乃至図５を参照しながら、額縁１の使用方法を説明する。
【００３１】
まず、絵画キャンバス５２を額縁本体２に固定する。具体的には、絵画キャンバス５２の底面（木枠５４の部分）と額縁本体２における爪部８の背面とを粘着テープ６２によってテープ止めする。
【００３２】
次に、額縁本体２の背面側開口部１０から裏板４を額縁本体２に嵌め込み、額縁本体２における爪部８の背面に裏板４の表面を当接させる。この状態において、絵画キャンバス５２を額縁１の裏板４に固定する。具体的には、絵画キャンバス５２を、ビス５８でビス止めすることにより裏板４に固定する。
【００３３】
最後に、裏板４を額縁本体２に固定する。具体的には、粘着テープ６０を用い、絵画キャンバス５２の底面（木枠５４の部分）と額縁本体２における爪部８の背面とをテープ止めする。
【産業上の利用可能性】
【００３４】
本考案の額縁および展示物は、鑑賞者から絵画の細部が見え易く、画家の表現する絵画の魅力や迫力を鑑賞者に対して十分に伝えることができ、絵画の効果的な展示を行うことが可能である。従って、筆のタッチ、絵の具の塗り重ね等に魅力がある油絵等の展示用額縁として特に好適に用いることができる。
【符号の説明】
【００３５】
１…額縁、２…額縁本体、４…裏板、６…枠、８…爪部、１０…背面側開口部、１２…正面側開口部、１４…脚、５０…展示物、５２…絵画キャンバス、５４…木枠、５６…画布、５８…ビス、６０，６２…粘着テープ、Ｓ…基準面、ｈ…突出高さ、ｔ…厚さ。
【図１】
0003226146.tif 000003
【図２】
0003226146.tif 000004
【図３】
0003226146.tif 000005
【図４】
0003226146.tif 000006
【図５】
0003226146.tif 000007
【図６】
0003226146.tif 000008